【手続補正書】
【提出日】平成19年2月21日(2007.2.21)
【手続補正１】
【補正対象書類名】明細書
【補正対象項目名】特許請求の範囲
【補正方法】変更
【補正の内容】
【特許請求の範囲】
【請求項１】  可変速再生可能な記録媒体からデータを読み出して一時メモリに記憶してから再生する再生方法であって、
前記記録媒体から再生される同期信号の有無を検出するステップと、
前記同期信号を検出したときに読み出されるデータの連続性を判断するステップと、
読み出されるデータに連続性があると判断された場合に、記憶手段に前記データを書き込むことを許可する第１の許可信号を出力するステップと、
を含み、
前記第１の許可信号は、前記同期信号が検出された後の同期システムクロックが生成される前の所定の期間以内に出力されること、を特徴とする再生方法。
【請求項２】  請求項１記載の再生方法であって、
前記再生は、一時メモリに書き込まれたデータを前記記録媒体からデータを読み出して、前記一時メモリに書き込むステップとは非同期に行われること、を特徴とする再生方法。 
【請求項３】  請求項１記載の再生方法であって、  
前記データを書き込むことを許可する第１の許可信号を保持している間に、前記保持された信号と一時メモリにデータを書き込むタイミングを示す信号との論理積をとるステップと、
前記論理積をとった信号の終了点から所定の期間以内に、前記一時メモリにデータを書き込む動作を許可する第２の許可信号を出力するステップと、
を更に含むこと、を特徴とする再生方法。 
【請求項４】  可変速再生可能な記録媒体からデータを読み出して再生する再生装置であって、
前記記録媒体から再生される同期信号の有無を検出する検出手段と、
前記同期信号を検出したときに読み出されるデータに連続性があるか否かを判定する判定手段と、
前記記録媒体から読み出されるデータを一時的に記憶する一時メモリと、
前記読み出されるデータに連続性があると判定された場合に割込処理すること無しに前記一時メモリに前記データを書き込むことを許可する第１の許可信号を出力する第１の許可信号手段と、
前記第１の許可信号は、前記同期信号が検出された後の同期システムクロックが生成される前の所定の期間以内に出力されること、を特徴とする再生装置。 
【請求項５】  請求項４記載の再生装置であって、
前記第１の許可信号出力手段から出力された第１の許可信号に基づいて、前記一時メモリに前記記録媒体から読み出されるデータを書き込むとともに、メモリ制御手段から読み出されるデータを再生するために、
前記データの書き込みとは非同期に、前記一時メモリからデータを読み出すメモリ制御手段を更に含むこと、を特徴とする再生装置。 
【請求項６】  請求項４記載の再生装置であって、
前記メモリ制御手段は、
前記第１の許可信号を保持する保持手段と、
前記保持手段よって保持された信号と前記一時メモリにデータを書き込み可能なタイミングを示す書き込み、同期信号との論理積を取得する論理積手段と、
前記論理積手段から出力される信号の終了後に所定期間前記一時メモリにデータを書き込む動作を許可する第２の許可信号を出力する第２の許可信号出力手段と、
を更に含むこと、を特徴とする再生装置。 
【請求項７】  可変速再生可能な記録媒体からデータを読み出して一時メモリに記憶してから再生する再生方法であって、
前記記録媒体から再生される同期信号の有無を検出するステップと、
前記同期信号を検出したときに読み出されるデータの連続性を判断するステップと、
読み出されるデータに連続性があると判断された場合に前記一時メモリに前記データを書き込むことを許可する第１の許可信号を出力するステップと、
前記データを書き込むことを許可する第１の許可信号を保持している間に、前記保持された信号と前記一時メモリにデータを書き込むタイミングを示す信号との論理積をとるステップと、
前記論理積をとった信号の終了点から所定の期間以内に、前記一時メモリにデータを書き込む動作を許可する第２の許可信号を出力するステップと、
を更に含むこと、を特徴とする再生方法。   
【請求項８】  請求項７記載の再生方法であって、
前記再生は、前記一時メモリに書き込まれたデータを前記記録媒体からデータを読み出して前記一時メモリに書き込むステップとは非同期に行われること、を特徴とする再生方法。 
【請求項９】  可変速再生可能な記録媒体からデータを読み出して再生する再生装置であって、
前記記録媒体から再生される同期信号の有無を検出する検出手段と、
前記同期信号を検出したときに読み出されるデータに連続性があるか否かを判定する判定手段と、
前記記録媒体から読み出されるデータを一時的に記憶する一時メモリと、
前記読み出されるデータに連続性があると判定された場合に割込処理すること無しに前記一時メモリに前記データを書き込むことを許可する第１の許可信号を出力する第１の許可信号手段と、
前記メモリ制御手段は、
前記第１の許可信号を保持する保持手段と、
前記保持手段よって保持された信号と前記一時記憶手段にデータを書き込み可能なタイミングを示す書き込み同期信号との論理積を取得する論理積手段と、
前記論理積手段から出力される信号の終了後に所定期間前記一時記憶手段にデータを書き込む動作を許可する第２の許可信号を出力する第２の許可信号出力手段と、を更に含むことを特徴とする再生装置。 
【請求項１０】  可変速再生可能な記録媒体からデータを読み出して再生する再生装置であって、
前記記録媒体から再生される同期信号の有無を検出する検出部と、
前記同期信号を検出したときに読み出されるデータに連続性があるか否かを判定する判定部と、
前記記録媒体から読み出されるデータを一時的に記憶する一時メモリと、
前記読み出されるデータに連続性があると判定された場合に割込処理すること無しに前記一時メモリに前記データを書き込むことを許可する第１の許可信号を出力する第１の許可信号部と、
前記メモリ制御部は、
前記第１の許可信号を保持する保持部と、
前記保持部よって保持された信号と前記一時記憶部にデータを書き込み可能なタイミングを示す書き込み同期信号との論理積を取得する論理積部と、
前記論理積部から出力される信号の終了後に所定期間前記一時記憶部にデータを書き込む動作を許可する第２の許可信号を出力する第２の許可信号出力部と、を更に含むことを特徴とする再生装置。 
【請求項１１】  可変速再生可能な記録媒体からデータを読み出して再生する再生装置であって、
前記記録媒体から再生される同期信号の有無を検出する検出部と、
前記同期信号を検出したときに読み出されるデータに連続性があるか否かを判定する判定部と、
前記記録媒体から読み出されるデータを一時的に記憶する一時メモリと、
前記読み出されるデータに連続性があると判定された場合に割込処理すること無しに前記一時メモリに前記データを書き込むことを許可する第１の許可信号を出力する第１の許可信号部と、
前記第１の許可信号は、前記同期信号が検出された後の同期システムクロックが生成される前の所定の期間以内に出力されること、を特徴とする再生装置。
【手続補正２】
【補正対象書類名】明細書
【補正対象項目名】００１３
【補正方法】変更
【補正の内容】
【００１３】
【課題を解決するための手段】
かかる課題を解決するため本発明の再生方法は、可変速再生可能な記録媒体からデータを読み出して一時メモリに記憶してから再生する再生方法であって、前記記録媒体から再生される同期信号の有無を検出するステップと、前記同期信号を検出したときに読み出されるデータの連続性を判断するステップと、読み出されるデータに連続性があると判断された場合に、記憶手段に前記データを書き込むことを許可する第１の許可信号を出力するステップと、を含み、前記第１の許可信号は、前記同期信号が検出された後の同期システムクロックが生成される前の所定の期間以内に出力されること、を特徴とするものである。
【手続補正３】
【補正対象書類名】明細書
【補正対象項目名】００１４
【補正方法】変更
【補正の内容】
【００１４】
更に、本発明の再生装置は、可変速再生可能な記録媒体からデータを読み出して再生する再生装置であって、前記記録媒体から再生される同期信号の有無を検出する検出手段と、前記同期信号を検出したときに読み出されるデータに連続性があるか否かを判定する判定手段と、前記記録媒体から読み出されるデータを一時的に記憶する一時メモリと、前記読み出されるデータに連続性があると判定された場合に割込処理すること無しに前記一時メモリに前記データを書き込むことを許可する第１の許可信号を出力する第１の許可信号手段と、前記第１の許可信号は、前記同期信号が検出された後の同期システムクロックが生成される前の所定の期間以内に出力されること、を特徴とするものである。
また、本発明の再生方法は、可変速再生可能な記録媒体からデータを読み出して一時メモリに記憶してから再生する再生方法であって、前記記録媒体から再生される同期信号の有無を検出するステップと、前記同期信号を検出したときに読み出されるデータの連続性を判断するステップと、読み出されるデータに連続性があると判断された場合に前記一時メモリに前記データを書き込むことを許可する第１の許可信号を出力するステップと、前記データを書き込むことを許可する第１の許可信号を保持している間に、前記保持された信号と前記一時メモリにデータを書き込むタイミングを示す信号との論理積をとるステップと、前記論理積をとった信号の終了点から所定の期間以内に、前記一時メモリにデータを書き込む動作を許可する第２の許可信号を出力するステップと、を更に含むこと、を特徴とするものである。
また、本発明の再生装置は、可変速再生可能な記録媒体からデータを読み出して再生する再生装置であって、前記記録媒体から再生される同期信号の有無を検出する検出手段と、前記同期信号を検出したときに読み出されるデータに連続性があるか否かを判定する判定手段と、前記記録媒体から読み出されるデータを一時的に記憶する一時メモリと、前記読み出されるデータに連続性があると判定された場合に割込処理すること無しに前記一時メモリに前記データを書き込むことを許可する第１の許可信号を出力する第１の許可信号手段と、前記メモリ制御手段は、前記第１の許可信号を保持する保持手段と、前記保持手段よって保持された信号と前記一時記憶手段にデータを書き込み可能なタイミングを示す書き込み同期信号との論理積を取得する論理積手段と、前記論理積手段から出力される信号の終了後に所定期間前記一時記憶手段にデータを書き込む動作を許可する第２の許可信号を出力する第２の許可信号出力手段と、を更に含むことを特徴とするものである。
また、本発明の再生装置は、可変速再生可能な記録媒体からデータを読み出して再生する再生装置であって、前記記録媒体から再生される同期信号の有無を検出する検出部と、前記同期信号を検出したときに読み出されるデータに連続性があるか否かを判定する判定部と、前記記録媒体から読み出されるデータを一時的に記憶する一時メモリと、前記読み出されるデータに連続性があると判定された場合に割込処理すること無しに前記一時メモリに前記データを書き込むことを許可する第１の許可信号を出力する第１の許可信号部と、前記メモリ制御部は、前記第１の許可信号を保持する保持部と、前記保持部よって保持された信号と前記一時記憶部にデータを書き込み可能なタイミングを示す書き込み同期信号との論理積を取得する論理積部と、前記論理積部から出力される信号の終了後に所定期間前記一時記憶部にデータを書き込む動作を許可する第２の許可信号を出力する第２の許可信号出力部と、を更に含むことを特徴とするものである。
また、本発明の再生装置は、可変速再生可能な記録媒体からデータを読み出して再生する再生装置であって、前記記録媒体から再生される同期信号の有無を検出する検出部と、前記同期信号を検出したときに読み出されるデータに連続性があるか否かを判定する判定部と、前記記録媒体から読み出されるデータを一時的に記憶する一時メモリと、前記読み出されるデータに連続性があると判定された場合に割込処理すること無しに前記一時メモリに前記データを書き込むことを許可する第１の許可信号を出力する第１の許可信号部と、前記第１の許可信号は、前記同期信号が検出された後の同期システムクロックが生成される前の所定の期間以内に出力されること、を特徴とするものである。